(57)【要約】【課題】再生データの内容に基づいて再生装置の動作音を抑制すること【解決手段】この再生装置は、音声データを含む再生データを記憶する記憶手段と、前記記憶手段から前記再生データを読み出す駆動手段と、この読み出した前記再生データから前記音声データを抽出する抽出手段と、前記抽出した音声データの音量と所定のしきい値とを比較して、この音量が当該しきい値よりも低いか否かを判定する判定手段と、前記判定の結果に基づいて、読み出しに伴って生ずる前記駆動手段の動作音量が減少するように制御する駆動制御手段とを具備する。【選択図】図１
2007226930.tif 000002
【特許請求の範囲】
【請求項１】
音声データを含む再生データを記憶する記憶手段と、
前記記憶手段から前記再生データを読み出す駆動手段と、
この読み出した前記再生データから前記音声データを抽出する抽出手段と、
前記抽出した音声データの音量と所定のしきい値とを比較して、この音量が当該しきい値よりも低いか否かを判定する判定手段と、
前記判定の結果に基づいて、読み出しに伴って生ずる前記駆動手段の動作音量が減少するように制御する駆動制御手段と
を具備したことを特徴とする再生装置。
【請求項２】
前記音声データを再生処理する再生処理手段と、
前記再生処理手段を冷却する冷却手段とをさらに備え、
前記駆動制御手段は、前記音量が当該しきい値よりも低いと判定した場合、前記冷却手段の動作音量を減少させるように冷却能力を制御することを特徴とする請求項１記載の再生装置。
【請求項３】
前記駆動制御手段は、前記判定手段により前記音声データの音量が低いと判定された場合、前記駆動手段の動作音量を減少するように、前記記憶手段からの前記再生データの読出し速度を制御することを特徴とする請求項１記載の再生装置。
【請求項４】
前記駆動制御手段は、現在の読出し速度が前記再生データの再生に必要な読み出し速度に満たない場合、前記判定手段の判定結果に関わらず前記駆動手段に対し読出し速度を上げるように制御することを特徴とする請求項３記載の再生装置。
【請求項５】
記憶装置の駆動部を制御して、該記憶装置に記憶された音声データを含む再生データを読み出し、
この読み出した前記再生データから前記音声データを抽出し、
前記抽出した音声データの音量と所定のしきい値とを比較して、この音量が当該しきい値よりも低いか否か判定し、
この判定の結果に基づいて、前記再生データの読み出しに伴って生ずる前記駆動部の動作音量が減少するように制御する
ことを特徴とする動作音抑制方法。
【請求項６】
音量の判定により、前記音量が当該しきい値よりも低いと判定した場合、前記音声データを再生処理するデータ処理部を冷却するための冷却装置の冷却能力を、当該冷却装置の動作音量が減少するように制御することを特徴とする請求項５記載の動作音抑制方法。
【請求項７】
音量の判定により、前記音量が当該しきい値よりも低いと判定した場合、前記駆動部の動作音量が減少するように、前記記憶装置からの前記再生データの読出し速度を制御することを特徴とする請求項５記載の動作音抑制方法。
【請求項８】
さらに、現在の読出し速度が前記再生データの再生に必要な読み出し速度を満たしているか否かを判定し、
満たしていないと判定された場合、前記判定の結果に関わらず前記駆動部に対し読み出し速度を上げるように制御することを特徴とする請求項７記載の動作音抑制方法。
【発明の詳細な説明】
【技術分野】
【０００１】
本発明は、例えば回転機構や駆動機構を有するビデオ装置などの再生装置、およびその動作音抑制方法に関する。
【背景技術】
【０００２】
映像や音声を再生する再生装置は、一般に記録手段として光学ディスクドライブやハードディスクドライブなどのドライブ装置を備えている。このようなドライブ装置は、回転機構や駆動機構を有しており、動作時に回転音などを発生する。
【０００３】
また、デジタルで記録された映像や音声を再生する再生装置では、デジタル信号のデコード処理などのデータ処理を、ＣＰＵなどの演算素子により実現している。デジタル信号をリアルタイムにデコードするためには膨大な処理が必要であり、この処理を実現する演算素子は熱を発生する。一般に、演算素子等で発生する熱は、演算素子に設けられたヒートシンクに伝達され、ヒートシンクは冷却ファンにより冷却される。冷却ファンもまた、ドライブ装置と同様に、動作時に回転音や風切り音を発生する。
【０００４】
ところで、近年の再生装置の多機能化に伴い、ドライブ装置や冷却ファンの動作音が大きくなってきており、家庭用機器として許容できるレベルまで動作音を下げることが要請されている。そのため、制御対象の温度を検知して冷却ファンの回転を制御する方法が知られており、例えば特許文献１に開示されている。
【０００５】
しかし、特許文献１記載の方法では、制御対象の温度に基づいて冷却ファンの回転を制御しているため、再生装置が実際に再生する内容とは無関係に制御されていた。したがって、再生されるコンテンツの内容の変化に対応して動作音を抑制することができなかった。すなわち、コンテンツが、例えばクラシックコンサートや静寂シーンの連続する映画など、静寂期間を有するものであったとしても、再生装置の動作音がユーザの臨場感を損なう問題が依然として残されていた。
【特許文献１】特開２００４−２６５３７３公報
【発明の開示】
【発明が解決しようとする課題】
【０００６】
このように、従来の再生装置、動作音抑制方法では、再生装置の再生内容とは無関係に動作音の抑制制御が行われ、ユーザの臨場感を損ない得るという問題がある。本発明はこのような課題を解決するためになされたもので、再生されるデータの内容に基づいて動作音を抑制することのできる再生装置、動作音抑制方法を提供することを目的としている。
【課題を解決するための手段】
【０００７】
上記した目的を達成するために、本発明の再生装置は、音声データを含む再生データを記憶する記憶手段と、前記記憶手段から前記再生データを読み出す駆動手段と、この読み出した前記再生データから前記音声データを抽出する抽出手段と、前記抽出した音声データの音量と所定のしきい値とを比較して、この音量が当該しきい値よりも低いか否かを判定する判定手段と、前記判定の結果に基づいて、読み出しに伴って生ずる前記駆動手段の動作音量が減少するように制御する駆動制御手段とを具備している。
【０００８】
また、本発明の動作音抑制方法は、記憶装置の駆動部を制御して、該記憶装置に記憶された音声データを含む再生データを読み出し、この読み出した前記再生データから前記音声データを抽出し、前記抽出した音声データの音量と所定のしきい値とを比較して、この音量が当該しきい値よりも低いか否か判定し、この判定の結果に基づいて、前記再生データの読み出しに伴って生ずる前記駆動部の動作音量が減少するように制御する。
【発明の効果】
【０００９】
本発明によれば、再生される音量レベルに応じて再生装置の動作音を抑制することができる。
【発明を実施するための最良の形態】
【００１０】
本発明は、再生データの音量レベルに基づいて、ドライブ装置や冷却ファンなどの動作音発生源としての駆動機構の動作を制御することで、データ内容に応じた動作音抑制を実現している。
【００１１】
以下、本発明の実施形態を、図面を参照して詳細に説明する。図１は本発明に係る一つの実施形態の再生装置１の構成を示すブロック図である。
【００１２】
図１に示すように、この実施形態の再生装置１は、記憶媒体に記憶されたデジタルデータをアナログに変換して、音声および映像を再生する再生装置を構成している。すなわち再生装置１は、記憶ドライブ部１１、データ処理部１２、メモリ部１３、バッファ部１４、Ｄ／Ａ部１５、センサ１６、温度制御部１７、動作音制御部１８、スピーカＳＰおよび表示装置Ｄを備えている。
【００１３】
記憶ドライブ部１１は、音声や映像などの記憶データが記憶された記憶媒体（記憶部）を駆動し、当該記憶データを記憶媒体から読み出して出力する記憶部駆動手段である。記憶ドライブ部１１は、例えばＣＤドライブ、ＤＶＤドライブ、ハードディスクドライブなどの光学ドライブ・光磁気ドライブ・磁気ドライブなどであり、回転機構を有し、デジタルデータを記憶した記憶媒体を駆動して当該デジタルデータを読み出すことができる。
【００１４】
データ処理部１２は、記憶ドライブ部１１から記憶データを読み出し、デジタルの再生データに変換する信号処理手段である。メモリ部１３は、データ処理部１２の信号処理の作業領域やデータ処理部１２の実行プログラムの記憶領域などに用いられる記憶手段である。データ処理部１２は、ＣＰＵなどの演算素子などからなり、メモリ部１３と協働して信号処理を行う。具体的には、データ処理部１２は、メモリ部１３に記憶された実行手順および入力手段（図示せず）に入力されたユーザの再生指示に基づいて、記憶ドライブ部１１から記憶データを読み出し、再生可能な形式のデジタル再生データにデコードして出力する機能を有する。デジタル再生データとしては、例えばＰＣＭ形式（音声）やＭＰＥＧ形式（音声および映像）などを用いることができる。なお、データ処理部１２の実行手順を示すプログラムは、メモリ部１３ではなく記憶ドライブ部１１に記憶データとともに記憶されていてもよい。
【００１５】
バッファ部１４は、データ処理部１２がデコードして出力したデジタル再生データを、一時的に記憶（保持）して、バッファリングするメモリ手段（バッファ手段）である。この実施形態の再生装置では、記憶ドライブ部１１から読み出されてデコードされたデジタル再生データは、リアルタイムに再生処理される。そのため、再生される音声や映像が途切れたりしないように、所定容量のバッファメモリが必要であり、バッファ部１４はそのバッファメモリとして機能する。また、この実施形態の再生装置１では、再生データに基づいて再生装置１の動作音を抑制するので、バッファ部１４は、この抑制制御に必要な時間だけ再生データの再生を遅延させる役割をも担っている。
【００１６】
Ｄ／Ａ部１５は、バッファ部１４がバッファリングしたデジタル再生データをアナログ再生データに変換するＤ／Ａ変換手段である。Ｄ／Ａ部１５のＤ／Ａ変換は、デジタル再生データに応じて適したものが採用される。
【００１７】
スピーカＳＰは、Ｄ／Ａ部１５によりＤ／Ａ変換された音声のアナログ再生データを出力する音声出力手段である。表示装置Ｄは、スピーカＳＰと同じくＤ／Ａ部１５によりＤ／Ａ変換された映像のアナログ再生データを出力するディスプレイ手段である。再生装置Ｄは、ＣＲＴやＬＣＤなど様々なディスプレイ装置を用いることができる。なお、スピーカＳＰや表示装置Ｄが、デジタル再生データを直接音声や映像として出力することができるスピーカやディスプレイである場合、Ｄ／Ａ部１５は省略することができる。
【００１８】
センサ１６は、データ処理部１２が発生する熱を検知する熱検知手段である。具体的には、センサ１６は、データ処理部１２を構成する回路部品等が発生する熱を検知して温度情報を出力する。なお、センサ１６は、直接データ処理部１２の温度を検知して電気信号等に変換して温度情報として出力してもよいし、データ処理部１２のＣＰＵなどが自ら出力する温度信号に基づいて温度情報を出力してもよい。
【００１９】
温度制御部１７は、センサ１６が出力した温度情報に基づいて、冷却ファンＦが、データ処理部１２の冷却に必要な冷却量に対応する回転数で回転するように制御する冷却ファン制御手段である。加えて、温度制御部１７は、後述する動作音制御部１８からの抑制信号に基づいて、冷却ファンＦの回転数を制御する機能をも有している。
【００２０】
冷却ファンＦは、データ処理部１２を構成する回路部品を空冷する冷却手段である。冷却ファンＦは、ブック型ファンやシロッコファンなど、回転数を制御可能なファンを用いることができる。なお、冷却ファンＦは、データ処理部１２を冷却するものには限定されず、再生装置１の電源部（図示せず）など熱源となる他の構成要素を冷却するものであってもよい。
【００２１】
動作音制御部１８は、バッファ部１４によりバッファリングされたデジタル再生データから音声データを抽出して解析し、対応する再生レベル（出力レベル／音量レベル）を算出して、当該再生レベルに応じて動作音発生源の動作を制御する制御手段である。例えば、主な動作音発生源が記憶ドライブ部１１および空冷ファンＦであれば、当該再生レベルに基づいて記憶ドライブ部１１の読出し速度を増減し、および／または、当該再生レベルに基づいて空冷ファンＦの回転数を増減する制御を行う。
動作音制御部１８は、再生レベル（出力レベル／音量レベル）が当該しきい値よりも低いと判定した場合、冷却手段である空冷ファンＦの動作音量を減少させるように冷却能力を制御する。冷却能力の制御は、例えばファン回転数を落とすなどして行う。
すなわち、動作音制御部１８は、再生レベル（出力レベル／音量レベル）が当該しきい値よりも低いと判定した場合、空冷ファンＦの冷却能力を、空冷ファンＦの動作音量が減少するように制御する。
【００２２】
ここで、再生装置１の動作を説明する。データ処理部１２は、メモリ部１３に記憶された実行手順および／または図示しない入力手段を介して入力されたユーザの再生指示信号に基づいて、記憶ドライブ部１１から記憶データの読出しを開始する。記憶データを読み出すと、データ処理部１２は、メモリ部１３と協働して記憶データのデコード処理を実行してデジタル再生データに変換し、バッファ部１４に渡す。バッファ部１４は、受け取ったデジタル再生データを所定時間保持してバッファリングしてからＤ／Ａ部１５に渡す。Ｄ／Ａ部１５は、受け取ったデジタル再生データをアナログ再生データに変換してスピーカＳＰおよび表示装置Ｄに出力する。
【００２３】
一方、温度制御部１７は、センサ１６が出力した温度情報に基づいて冷却ファンＦを制御している。動作音制御部１８は、バッファ部１４に保持されたデジタル再生データから音声データを抽出し、その再生レベル（音量レベル）を算出する。再生レベルが算出されると、動作音制御部１８は、データ処理部１２および温度制御部１７に対して、記憶ドライブ部１１からの記憶データ読取速度の抑制や、冷却ファンＦの回転数抑制を指示する。結果として、再生データの内容に基づいて、動作音発生源である冷却ファンＦや記憶ドライブ部１１の動作が制御され、動作音が抑制される。
【００２４】
この実施形態の再生装置によれば、動作音制御部１８が、再生レベルに応じて記憶ドライブ部１１の読出しや冷却ファンFの回転数を制御するので、再生レベルが小さい場合でも、再生装置の動作音に起因してユーザの臨場感を損なうことを防ぐことができる。
【００２５】
次に、図２を参照してこの実施形態の再生装置１における動作音制御部１８について詳細に説明する。図２は、この実施形態における動作音制御部１８の構成を示すブロック図である。図２に示すように、この実施形態の動作音制御部１８は、音声データ抽出部２１、音声データ解析部２２、設定記憶部２３および抑制指示部２４を備えている。
【００２６】
音声データ抽出部２１は、バッファ部１４にバッファリングされたデジタル再生データから、音声データに相当するデータを音声データとして抽出するデータ読取手段である。音声データ抽出部２１は、デジタル再生データの種類、すなわちデジタル再生データの中での音声データの格納方法や格納位置に応じて、所定のデータ格納位置から音声データのみを抽出する機能を有する。なお、抽出する音声データは、ある基準時の瞬間データでもよいし、バッファ部１４にバッファリングされた時間に対応する音声データ全てを抽出してもよい。
【００２７】
音声データ解析部２２は、音声データ抽出部２１が抽出した音声データを解析し、その再生レベル（音量レベル）を算出する解析手段である。また、設定記憶部２３は、音声データ解析部２２が算出した再生レベルが、静寂な状態（静寂なレベル）であるかを判定するためのしきい値を記憶するメモリ手段である。音声データ解析部２２による再生レベルの算出は、デジタル再生データ読み出したデジタルの音声データから再生レベルに対応するデータを抜き出して算出してもよいし、デジタルの音声データのみをＤ／Ａ変換してアナログ量に変換した後にその出力レベルを検出してもよい。
【００２８】
音声データ解析部２２は、算出した再生レベルと設定記憶部２３に記憶されたしきい値とを比較し、再生レベルが静寂状態であると判定された場合に、抑制指示部２４に対し動作音の抑制を指示する機能を有する。なお、音声データ解析部２２は、算出した再生レベルとしきい値とを単に比較するものには限定されない。例えば、バッファ部１４にバッファリングされた全データから算出した再生レベルとしきい値とを対比して、時系列的に静寂状態に向かうのか否かを予測し、静寂状態に向かうと予測された場合に抑制指示部２４に動作音の抑制を指示するものであってもよい。また、当該比較と当該予測とを同時に行うものであってもよい。
【００２９】
抑制指示部２４は、音声データ解析部２２からの指示に基づき、データ処理部１２および／または温度制御部１７に対し動作音を抑制する抑制信号を出力する。抑制信号は、例えば、データ処理部１２に対しては記憶ドライブ部１１からの記憶データ読取速度の抑制を指示する信号、温度制御部１７に対しては、冷却ファンＦの回転数の抑制を指示する信号などである。これにより、データ処理部１２による記憶ドライブ部１１の読取速度が遅くなれば、記憶ドライブ部１１の回転数が減少してその動作音が減少し、冷却ファンＦの回転数が減少すれば、その動作音が減少して、結果として動作音全体が小さくなる。
【００３０】
なお、抑制信号は、データ処理部１２による記憶データの読取速度を抑制するものには限定されず、記憶ドライブ部１１の回転速度を直接抑制するものであってもよい。これは、光学ドライブのように外部から直接回転数を制御可能な場合に特に有効である。
【００３１】
続いて、図２ないし図３を参照して、この実施形態の再生装置１の動作音抑制制御について説明する。図３は、この実施形態の再生装置１の動作音抑制制御のフローを示すフローチャートである。
【００３２】
データ処理部１２は、記憶ドライブ部１１から読み出した記憶データをデジタル再生データに変換すると、バッファ部１４に渡す。バッファ部１４は、渡されたデジタル再生データを所定時間バッファリングする。音声データ抽出部２１は、バッファリングされたデジタル再生データをバッファ１４から読み出す読出し処理を行う（ステップ３１。以下「Ｓ３１」のように称する。）。
【００３３】
読出し処理の結果、デジタル再生データが存在しない場合（Ｓ３２のＹｅｓ）、再生装置１の再生動作の終了と判断して、動作音抑制制御処理を終了する。
【００３４】
読出し処理の結果、デジタル再生データが存在する場合（Ｓ３２のＮｏ）、音声データ抽出部２１は、読み出したデジタル再生データの中から音量情報（音声データ）を抽出する（Ｓ３３）。音量情報は、再生レベルを含む情報であり、デジタル情報でもアナログ情報でもかまわない。音声データ抽出部２１は、取得した音量情報を音声データ解析部２２に渡す。
【００３５】
音量情報を受け取ると、音声データ解析部２２は、設定記憶部２３にあらかじめ記憶されたしきい値と当該音量情報の再生レベルとを比較する（Ｓ３４）。
【００３６】
比較の結果、再生レベルがしきい値を下回り、静寂レベルであると判定されると（Ｓ３４のＹｅｓ）、音声データ解析部２２は、静寂レベルの続く静寂時間を解析する（Ｓ３６）。例えば、音声データ抽出部２１が読み取ったバッファ部１４にバッファリングされた全デジタル再生データに基づき、再生レベルの推移（再生レベルの増減傾向）を求め、静寂レベルがどれくらい持続するかを予測する。音声データ解析部２２は、解析結果を抑制指示部２４に渡す。
【００３７】
抑制指示部２４は、受け取った解析結果に基づいて、どれくらいの時間・どれくらいの量の動作音を抑制するか抑制内容を決定する（Ｓ３７）。すなわち、静寂レベルの持続時間が短ければ、動作音抑制時間や抑制量は少なく決定し、逆に静寂レベルが高く（静寂度が高く）持続時間も長ければ、抑制時間を長く、かつ抑制量を大きく決定する。
【００３８】
抑制内容が決定されると、抑制指示部２４は、動作音抑制制御を実行する（Ｓ３８）。すなわち、抑制指示部２４は、データ処理部１２に対して記憶ドライブ部１１からの記憶データの読取速度を所定量抑制するよう制御し、および／または温度制御部１７に対して冷却ファンＦの回転数を所定量減少させるよう制御する。その結果、動作音の抑制を優先した再生処理が実現される。
【００３９】
一方、ステップ３４での比較の結果、再生レベルがしきい値を上回り、静寂レベルではないと判定されると（Ｓ３４のＮｏ）、音声データ解析部２２は、性能優先制御を抑制指示部２４に指示する（Ｓ３５）。静寂レベルでない場合、すなわち、再生レベルが高い場合は、再生装置１の動作音がユーザに与える影響は相対的に小さくなるから、抑制指示部２４は、データ処理部１２に対して記憶ドライブ部１１からの記憶データの読取速度を高速に制御し、および／または温度制御部１７に対して冷却ファンＦの回転数を高速に制御する。その結果、性能を優先した再生処理が実現される。
【００４０】
このように、この実施形態の再生装置によれば、再生データから音量情報を抽出し、該抽出結果に基づいて動作音発生源としての駆動機構の動作を制御するので、再生データの内容が静寂なものであれば動作音を下げ、そうでなければ性能を優先させて、再生装置の動作音がユーザに与える不快感を最小限にすることができる。また、この実施形態の再生装置によれば、バッファ部に保持された音量情報から時系列的に先の静寂レベルを推測するので、再生レベルにより沿った動作音抑制制御が可能となる。
【００４１】
ここで、図４を参照して、動作音抑制制御における動作音制御部１８および温度制御部１７の動作について詳細に説明する。図４は、動作音制御の様子を示す図である。図４は、横軸を時間、縦軸をそれぞれ音量レベル、バッファサイズ、システム温度とし、各々の関係を示している。
【００４２】
図４において、音量レベルがＯ点からＰ点の間で静寂しきい値を下回っており、ＯＰ間は静寂期間となっている。音声データ解析部２２は、ＯＰ間を静寂レベルと判定して抑制指示部２４に動作音抑制を指示する。抑制指示部２４は、データ処理部１２および温度制御部１７に対し動作音抑制の指示をする。指示を受けると、データ処理部１２は記憶ドライブ部１１からの読出し速度を抑制し、温度制御部１７は冷却ファンＦの回転数を抑制する。
【００４３】
記憶ドライブ部１１からの読出し速度が抑制されると、データ処理部１２が記憶データを処理する処理量が少なくなり、データ処理部１２がデコード処理するデータ量も少なくなる。その結果、バッファ部１４がバッファリングするデータ量が少なくなり（図４におけるＢ）、当該バッファリングデータ量が所要最低サイズよりも小さくなると、リアルタイムな再生処理に支障を来たす状態となってしまう。
【００４４】
そこで、音声データ抽出部２１は、バッファ部１４にバッファリングされたデータ量の変化情報を、抽出した音量情報と併せて音声データ解析部２２に渡す。音声データ解析部２２は、当該変化情報とあらかじめ決められた所要最低サイズとを比較し、動作音抑制の程度（動作音を抑える早さ）を加味して抑制指示部２４に対して指示を行う。
【００４５】
具体的には、静寂期間ＯＰを推定した後（図３のＳ３６）、Ｐ点でバッファサイズが足りなくなることのないように、記憶ドライブ部１１の読出し速度が過度に遅くならないような制御を行う。
【００４６】
また、バッファ部１４のバッファ量が所要最低サイズまで減少した場合には（図４のＰ点）、動作音抑制を一時的に解除して、最低限のバッファサイズを確保する。すなわち、抑制指示部２４に対して、動作音抑制の程度を加味した指示を行う（図４のＢからＣ）。
【００４７】
この動作により、例えば、静寂期間中に記憶ドライブ部１１からの読出し速度を落としすぎてリアルタイムな再生処理に支障が出ることを防ぐことが可能になる。
【００４８】
同様に、冷却ファンＦの回転数が抑制されると、データ処理部１２に対する冷却能力が落ちるため、システム温度が上昇する（図４のＥ）。しかし、システム温度がシステムの障害が発生し得る限界温度に達してしまうと、再生処理そのものに支障が出てしまう。
【００４９】
そこで、温度制御部１７は、センサ１６からの温度情報の変化を加味して冷却ファンＦの回転数抑制制御を行う。
【００５０】
具体的には、静寂期間ＯＰを推定した後（Ｓ３６）、Ｐ点で限界温度を超えることのないように、冷却ファンＦの回転数が過度に遅くならないような制御を行う。また、システム温度が限界温度に達しそうな場合（Ｐ点）、システム温度が限界温度に達する前に冷却ファンＦの回転数を上げるような制御を行う（図４のＦ）。
【００５１】
この動作により、例えば静寂期間中に冷却ファンＦの回転数を落としすぎてシステム障害が発生することを防ぐことができる。
【００５２】
なお、本発明は上記実施形態のみに限定されるものではない。上記実施形態では、動作音制御部はデジタル再生データから音声データを抽出し、その再生レベルに基づいて記憶ドライブ部１１や冷却ファンＦなどの駆動機構の制御を行っているが、これには限定されない。すなわち、音声データの再生レベルではなく、音声データの周波数成分に基づいた制御や再生レベルと周波数成分とを組み合わせた制御を行ってもよい。これにより、特に人の耳に聞き取りにくい周波数成分の再生時に駆動機構の制御を行って動作音の抑制を行うことが可能になる。
【００５３】
また、上記実施形態では、動作音制御部１８が用いるしきい値として静寂状態であるか否かを示す静寂レベルを用いているが、これにも限定されない。すなわち、静寂レベルに加えて喧騒レベルをしきい値として設定記憶部２３に保存しておき、音声データの再生レベルが静寂レベルを超え、さらに喧騒レベルをも超えた場合に冷却ファンＦを通常よりもさらに高速回転させる構成としてもよい。これにより、ユーザが再生装置の動作音が気にならない再生データ、すなわち再生レベルが特に大きい場合に集中的にデータ処理部１２の冷却を行うことができる。その結果、再生レベルが静寂レベル以下となる状態が続いた場合でもシステム温度の上昇をより抑えることが可能になる。
【００５４】
また、上記実施形態ではバッファ部１４にバッファリングされたデジタル再生データに基づいて動作音制御を実現しているが、これにも限定されない。すなわち、Ｄ／Ａ部１５の後段にバッファ部を設けてアナログ再生データに基づいて動作音制御を実現してもよい。
【００５５】
さらに、上記実施形態では再生レベルに基づいて動作音制御を実現しているが、これにも限定されない。すなわち、再生データのコンテンツの具体的内容、例えばクラシックコンサートやアクション映画などのジャンル情報をデジタル再生データから取得し、当該ジャンル情報を加味して動作音制御を実現してもよい。これにより、コンテンツの具体的な内容に応じた動作音制御が可能となる。
【００５６】
なお、上記実施形態における再生装置は、いわゆるビデオ装置などの再生装置に限定されず、パソコンなどの情報処理機器なども含み、プログラムによって本発明の機能を実現することが可能な機器、装置を総称している。
【産業上の利用可能性】
【００５７】
本発明は、電子機器製造業などに適用できる。
【図面の簡単な説明】
【００５８】
【図１】本発明の実施形態の再生装置の構成を示すブロック図である。
【図２】この実施形態の再生装置における動作音制御部の構成を示すブロック図である。
【図３】この実施形態の再生装置の動作音抑制制御のフローを示すフローチャートである。
【図４】この実施形態の動作音制御の様子を示す図である。
【符号の説明】
【００５９】
１…再生装置、１１…記憶ドライブ部、１２…データ処理部、１３…メモリ部、１４…バッファ部、１５…Ｄ／Ａ部、１６…センサ、１７…温度制御部、１８…動作音制御部、２１…音声データ抽出部、２２…音声データ解析部、２３…設定記憶部、２４…抑制指示部。
【図１】
2007226930.tif 000003
【図２】
2007226930.tif 000004
【図３】
2007226930.tif 000005
【図４】
2007226930.tif 000006